(57)【要約】      （修正有）【課題】ＵＥが、同時に異なるＲＡＴを用いて通信を行っている場合においても、ＵＥが使用しているＲＡＴに応じた課金制御を行うことができるゲートウェイ装置を提供する。【解決手段】ゲートウェイ装置（３０）は、通信端末（１０）が第１の無線アクセス技術を用いた第１の無線通信を行うとともに、第２の無線アクセス技術を用いた第２の無線通信を行う際に、通信端末（１０）に割り当てられた少なくとも１つのベアラと、第１及び第２の無線アクセス技術を示す情報とを関連づけて管理する管理部（３１）と第１及び第２の無線アクセス技術を示す情報を、課金制御を行う少なくとも１つのポリシィ課金制御装置（４０）へ送信する課金システム通信部（３２）と、を備える。【選択図】図１Ａ
2020074510.tif 000002
【特許請求の範囲】
【請求項１】
基地局で用いられる通信制御方法であって、
通信端末と接続し、
前記通信端末と接続する他の基地局を追加するための処理を開始し、
前記他の基地局で前記通信端末との接続に用いられるアンライセンスド・スペクトラムに関するＲＡＴタイプを、移動管理装置に送信し、
前記他の基地局と、デュアルコネクティビティまたは通信アグリゲーションを形成することを特徴とする通信制御方法。
【請求項２】
請求項１に記載の通信制御方法であって、
前記アンライセンスド・スペクトラムに関するＲＡＴタイプは、前記通信端末に対する課金処理に用いられる、通信制御方法。
【請求項３】
請求項１または２に記載の通信制御方法であって、
当該基地局はｅＮＢ（evolved NodeB）を備える、通信制御方法。
【請求項４】
請求項１乃至３のいずれかに記載の通信制御方法であって、
前記移動管理装置はＭＭＥ（Mobility Management Entity）を備える、通信制御方法。
【請求項５】
移動管理装置で用いられる通信制御方法であって、
通信端末の移動管理を行い、
前記通信端末と接続する基地局から、他の基地局で前記通信端末との接続に用いられるアンライセンスド・スペクトラムに関するＲＡＴタイプを受信し、
前記基地局および前記他の基地局により、デュアルコネクティビティまたは通信アグリゲーションが形成されることを特徴とする通信制御方法。
【請求項６】
請求項５に記載の通信制御方法であって、
前記アンライセンスド・スペクトラムに関するＲＡＴタイプを、前記通信端末のユーザデータを中継するゲートウェイに送信する、通信制御方法。
【請求項７】
請求項５または６に記載の通信制御方法であって、
前記アンライセンスド・スペクトラムに関するＲＡＴタイプは、前記通信端末に対する課金処理に用いられる、通信制御方法。
【請求項８】
請求項５乃至７のいずれかに記載の通信制御方法であって、
当該移動管理装置はＭＭＥ（Mobility Management Entity）を備える、通信制御方法。
【請求項９】
請求項５乃至８のいずれかに記載の通信制御方法であって、
前記基地局はｅＮＢ（evolved NodeB）を備える、通信制御方法。
【請求項１０】
請求項１乃至９のいずれかに記載の通信制御方法であって、
前記他の基地局は、５Ｇ（第５世代携帯電話）無線通信方式をサポートする基地局または無線ＬＡＮ（Local Area Network）通信を行うＷＴ（Wireless LAN Termination）を備える、通信制御方法。
【発明の詳細な説明】
【技術分野】
【０００１】
本開示はゲートウェイ装置、無線通信装置、課金制御方法、データ送信方法、及びプログラムに関し、特に複数の無線アクセス技術を用いるゲートウェイ装置、無線通信装置、課金制御方法、データ送信方法、及びプログラムに関する。
【背景技術】
【０００２】
移動体通信システムの標準規格３ＧＰＰ（3rd Generation Partnership Project）において、通信端末ＵＥ（User Equipment）が広帯域かつ低遅延な通信を実行するための技術として、Dual Connectivityがある。Dual Connectivityとは、例えば、ＵＥがＬＴＥ（Long Term Evolution）通信を行う第１基地局ＭｅＮＢ（Master evolved NodeB）及び第２基地局ＳｅＮＢ（Secondary eNB）と共に接続し、ＵＥがＭｅＮＢに加えてＳｅＮＢとも通信を行う技術である。これにより、通信のスループットを向上することが可能となる。また、Dual Connectivityは、通信事業者が事業で用いる事の許可されている周波数帯と使用許可の不要な周波数帯(unlicensed spectrum)とを同時に用いた通信にも適用する事ができる。更に、基地局ｅＮＢ（evolved NodeB）が無線ＬＡＮ（ＷＬＡＮ（Wireless LAN））通信装置と接続される事によって、ＵＥがＬＴＥ通信とＷＬＡＮ通信を同時に提供する技術も規定されている。
【０００３】
非特許文献１の0.1.2.8節には、Dual Connectivityの手順として、ＵＥが、ＭｅＮＢと接続している状態において、ＵＥと通信を行うｅＮＢとして新たにＳｅＮＢを追加する処理の流れ等が示されている。
【０００４】
また、移動体通信システムに比べてカバーするエリアは狭いが、高速通信を可能とする無線ＬＡＮ（Local Area Network）通信において、近年、その利用可能なエリアが拡充されてきている。そのため、ＵＥが、Dual Connectivityの技術を応用して、モバイル通信を行うｅＮＢと、無線ＬＡＮ通信を行うアクセスポイントＷＴ（Wireless LAN Termination）と共に接続し、ＵＥがｅＮＢに加えてＷＴとも通信を行うことも可能である。具体的には、非特許文献１の22A節に示されている。
【０００５】
ここで、ＵＥに適用される課金レートは、ＵＥが使用している無線アクセス技術（Radio Access Technology:ＲＡＴ）を基準に決定される。例えば、ＵＥが、Dual ConnectivityにおいてＭｅＮＢ及びＳｅＮＢとＬＴＥ通信を行っている場合、ＬＴＥ通信時に定められる課金レートがＵＥに適用される。非特許文献２には、ポリシー制御及び課金制御を実行するためのPCC（Policy and Charging Control） Architectureの構成が示されている。
【０００６】
非特許文献３には、ゲートウェイ装置ＰＧＷ（Packet Date Network Gateway）が、課金に関するパラメータとして、ＵＥ単位にＲＡＴ ｔｙｐｅを管理することが示されている。ＲＡＴ ｔｙｐｅは、ＵＥが現在使用しているＲＡＴを示すパラメータである。
【先行技術文献】
【非特許文献】
【０００７】
【非特許文献１】3GPP TS 36.300 V13.2.0 (2015-12)
【非特許文献２】3GPP TS 23.203 V13.4.0 (2015-06) 5節，A.4.2節
【非特許文献３】3GPP TS 23.401 V13.5.0 (2015-12) 5.7.4節
【発明の概要】
【発明が解決しようとする課題】
【０００８】
非特許文献１の10.1.2.8節に記載されているDual Connectivityを実行する場合、ＵＥは、ＭｅＮＢ及びＳｅＮＢと同時に１つのＲＡＴを用いて通信を行う。この場合、非特許文献３に記載されているように、課金パラメータとしてのＲＡＴ ｔｙｐｅをＵＥ単位に管理することに問題はない。ただし、非特許文献１の5.7節には、Dual Connectivityを通信事業者が事業で用いる事の許可されている周波数帯と使用許可の不要な周波数帯(unlicensed spectrum)を同時に用いた通信に適用する技術が、LAA(Licensed-Assisted Access)として記述されている。この形態で通信を行った場合、どちらの通信技術もＬＴＥでありＲＡＴ ｔｙｐｅとしては同一である。しかし、課金は通知に対するコストが反映されているという観点で考察すると、許可されている周波数帯を用いたのか使用許可の不要な周波数帯(unlicensed spectrum)を用いたのかを正確に管理する必要がある。更に、非特許文献１の22A節に記載されるように、ＵＥが、ＬＴＥとＷＴとの両方のＲＡＴを用いて通信を行う場合、ＵＥは、同時に２種類のＲＡＴを用いて通信を行う。そのため、非特許文献３のようにＰＧＷが、ＲＡＴ ｔｙｐｅをＵＥ単位に管理する場合、ＰＧＷが、管理するＲＡＴ ｔｙｐｅと、ＵＥが実際に使用しているＲＡＴとが異なる可能性がある。その結果、ＵＥが２種類のＲＡＴを用いて通信を行う場合は、実際の通信に応じた適正な課金制御を行う（課金レートを適用する）ことができないという問題がある。
【０００９】
本開示の目的は、ＵＥが、同時に異なるＲＡＴを用いて通信を行っている場合においても、ＵＥが使用しているＲＡＴに応じた課金制御を行うことができるゲートウェイ装置、無線通信装置、課金制御方法、データ送信方法、及びプログラムを提供することにある。
【課題を解決するための手段】
【００１０】
本開示の第１の態様にかかるゲートウェイ装置は、通信端末が第１の無線アクセス技術を用いた第１の無線通信を行うとともに、第２の無線アクセス技術を用いた第２の無線通信と同時通信を行う際に、前記通信端末に割り当てられた少なくとも１つのベアラと、前記第１及び第２の無線アクセス技術を示す情報とを関連づけて管理する管理部と、前記第１及び第２の無線アクセス技術を示す情報を、課金制御を行う少なくとも１つの課金制御装置へ送信する課金システム通信部と、を備えるものである。前記通信端末が、前記第１及び第２の無線アクセス技術を同時に用いて通信を行う場合にあっては、無線通信装置によって通信アグリゲーションを形成してもよい。
【００１１】
本開示の第２の態様にかかる無線通信装置は、通信端末と第１の無線アクセス技術を用いて第１の無線通信を行う無線通信装置であって、前記通信端末が第１の無線通信を行うとともに第２の無線アクセス技術を用いた第２の無線通信と同時通信を行う際に、前記通信端末に割り当てられた少なくとも１つのベアラと、前記第１及び第２の無線アクセス技術を示す情報とを関連づけた情報を、前記ベアラを管理するネットワーク装置へ送信するものである。前記通信端末が、前記第１及び第２の無線アクセス技術を同時に用いて通信を行う場合にあっては、無線通信装置によって通信アグリゲーションを形成してもよい。
【００１２】
本開示の第３の態様にかかる課金制御方法は、通信端末が第１の無線アクセス技術を用いた第１の無線通信を行うとともに、第２の無線アクセス技術を用いた第２の無線通信と同時通信を行う際に、前記通信端末に割り当てられた少なくとも１つのベアラと、前記第１及び第２の無線アクセス技術を示す情報とを関連づけて管理し、前記第１及び第２の無線アクセス技術を示す情報を、課金制御を行う少なくとも１つの課金制御装置へ送信するものである。前記通信端末が、前記第１及び第２の無線アクセス技術を同時に用いて通信を行う場合にあっては、無線通信装置によって通信アグリゲーションを形成してもよい。
【００１３】
本開示の第４の態様にかかるデータ送信方法は、通信端末と第１の無線アクセス技術を用いて第１の無線通信を行う無線通信装置において用いられるデータ送信方法であって、前記通信端末が第１の無線通信を行うとともに第２の無線アクセス技術を用いた第２の無線通信と同時通信を行う際に、前記通信端末に割り当てられた少なくとも１つのベアラと、前記第１及び第２の無線アクセス技術を示す情報とを関連づけた情報を、前記ベアラを管理するネットワーク装置へ送信するものである。前記通信端末が、前記第１及び第２の無線アクセス技術を同時に用いて通信を行う場合にあっては、無線通信装置によって通信アグリゲーションを形成してもよい。
【００１４】
本開示の第５の態様にかかるプログラムは、通信端末が第１の無線アクセス技術を用いた第１の無線通信を行うとともに、第２の無線アクセス技術を用いた第２の無線通信と同時通信を行う際に、前記通信端末に割り当てられた少なくとも１つのベアラと、前記第１及び第２の無線アクセス技術を示す情報とを関連づけて管理し、前記第１及び第２の無線アクセス技術を示す情報を、課金制御を行う少なくとも１つの課金制御装置へ送信することをコンピュータに実行させるものである。前記通信端末が、前記第１及び第２の無線アクセス技術を同時に用いて通信を行う場合にあっては、無線通信装置によって通信アグリゲーションを形成してもよい。
【発明の効果】
【００１５】
本開示により、ＵＥが、同時に異なるＲＡＴを用いて通信を行っている場合においても、ＵＥが使用しているＲＡＴに応じた課金制御を行うことができるゲートウェイ装置、無線通信装置、課金制御方法、データ送信方法、及びプログラムを提供することができる。
【図面の簡単な説明】
【００１６】
【図１Ａ】実施の形態１にかかる通信システムの構成図である。
【図１Ｂ】実施の形態１にかかる通信システムの構成図である。
【図２Ａ】実施の形態２にかかる通信システムの構成図である。
【図２Ｂ】実施の形態２にかかる通信システムの構成図である。
【図３】実施の形態２にかかる課金システムの構成図である。
【図４】実施の形態２にかかるＰＧＷの構成図である。
【図５】実施の形態２にかかるＰＧＷが管理するパラメータを示す図である。
【図６】実施の形態２にかかるｅＮＢの構成図である。
【図７】実施の形態２にかかるＵＥの構成図である。
【図８】実施の形態２にかかるＲＡＴ ｔｙｐｅの送信処理の流れを示す図である。
【図９】実施の形態２にかかるE-RAB Modification Indicationメッセージに設定されるパラメータ情報を示す図である。
【図１０】実施の形態２にかかるModify Bearer Requestメッセージに設定されるパラメータ情報を示す図である。
【図１１】実施の形態２にかかるCreate Session Requestメッセージに設定されるパラメータ情報を示す図である。
【図１２】実施の形態２にかかるBearer Resource Commandメッセージに設定されるパラメータ情報を示す図である。
【図１３】実施の形態２にかかるModify Access Bearers Requestメッセージに設定されるパラメータ情報を示す図である。
【図１４】実施の形態２にかかるContext Requestメッセージに設定されるパラメータ情報を示す図である。
【図１５】実施の形態２にかかるChange Notification Requestメッセージに設定されるパラメータ情報を示す図である。
【図１６】実施の形態２にかかるＰＧＷがＰＣＲＦへＲＡＴ ｔｙｐｅを送信する処理の流れを示す図である。
【図１７】実施の形態２にかかるＰＣＲＦとＴＤＦとの間のDiameterメッセージの伝送処理の流れを示す図である。
【図１８】実施の形態２にかかるＲＡＴ ｔｙｐｅの値を説明する図である。
【図１９】実施の形態３にかかる通信システムの構成図である。
【図２０】実施の形態３にかかるＲＡＴ ｔｙｐｅの値を説明する図である。
【図２１】実施の形態３にかかるＲＡＴ ｔｙｐｅの値を説明する図である。
【図２２】実施の形態３にかかるE-RAB Modification Indicationメッセージに設定されるパラメータ情報を示す図である。
【図２３】各実施の形態にかかる無線通信装置の構成図である。
【図２４】各実施の形態にかかる通信端末の構成図である。
【図２５】各実施の形態にかかるゲートウェイ装置の構成図である。
【発明を実施するための形態】
【００１７】
（実施の形態１）
以下、図面を参照して本開示の実施の形態について説明する。図１Ａを用いて本開示の実施の形態１にかかる通信システムの構成例について説明する。
【００１８】
図１Ａの通信システムは、通信端末１０、無線通信装置２１、無線通信装置２２、ゲートウェイ装置３０、及びポリシィ課金制御装置４０を有している。
【００１９】
通信端末１０は、携帯電話端末、スマートフォン、もしくはタブレット型端末等であってもよい。また、通信端末１０は、３ＧＰＰにおいて通信端末の総称として用いられるＵＥと称されてもよい。また、通信端末１０は、２Ｇ（第２世代携帯電話）無線アクセス技術、３Ｇ（第３世代携帯電話）無線アクセス技術、ＬＴＥ無線アクセス技術、４Ｇ／５Ｇ（第４世代／第５世代携帯電話）無線アクセス技術またはＣＩｏＴ（Cellular ＩｏＴ（Internet of Things））専用の無線アクセス技術を用いて通信する端末であってもよい。また、通信端末１０は、異なる複数の無線アクセス技術を用いて同時に通信（デュアル接続）を行える端末である。例えば、通信端末１０は、３ＧＰＰにおいて規定されている無線アクセス技術を用いた移動体通信と、無線ＬＡＮ通信とを同時に行う端末であってもよい。また、通信端末１０は、ＬＴＥ無線アクセス技術と、５Ｇ無線アクセス技術とを同時に行う端末であってもよい。
【００２０】
無線通信装置２１及び無線通信装置２２は、予め定められた無線アクセス技術（ＲＡＴ）を用いて通信端末１０と無線通信を行う。通信端末１０は、無線通信装置２１との無線通信に用いるＲＡＴと異なるＲＡＴを用いて無線通信装置２２と無線通信を行う。通信端末１０が、異なるＲＡＴを同時に用いて無線通信装置２１及び無線通信装置２２と無線通信を行った場合、無線通信装置２１及び無線通信装置２２は、ゲートウェイ装置３０から通信端末１０に向けて送信された通信データを別々のＲＡＴに向けて分割配信する事や通信端末１０から別々のＲＡＴを用いてゲートウェイ装置３０向けに送信された通信データを合成することを行っても良い。この動作を通信アグリゲーションやハイブリッドなDual Connectivityなどと称する。
【００２１】
異なるＲＡＴを同時に用いた通信（以下、同時通信と称する）で用いられる一方のＲＡＴは、例えば、３ＧＰＰにおいて通信規格が定められているＬＴＥであってもよく、将来的に３ＧＰＰにおいて通信規格が定められる無線通信技術であってもよい。それは、例えば、５Ｇ等と称されてもよい。同時通信で用いられるもう一方のＲＡＴは、無線ＬＡＮであってもよい。
【００２２】
ポリシィ課金制御装置４０は、通信端末１０に関するサービスポリシィに関する制御、及び課金関連の処理を実行する装置である。
【００２３】
ゲートウェイ装置３０は、通信端末１０が無線通信装置２１及び無線通信装置２２を含むネットワークを介して、サービスを提供するネットワークまたは外部ネットワークと通信を行う際に用いられるゲートウェイ装置である。また、ゲートウェイ装置３０は、通信端末１０に関する課金パラメータをポリシィ課金制御装置４０へ送信する。
【００２４】
続いて、ゲートウェイ装置３０の構成例について説明する。ゲートウェイ装置３０は、プロセッサがメモリに格納されたプログラムを実行することによって動作するコンピュータ装置であってもよい。
【００２５】
ゲートウェイ装置３０は、管理部３１及び課金システム通信部（なお、通信部は送信及び受信部と言い換えてもよい）３２を有している。管理部３１及び課金システム通信部３２等を備えるゲートウェイ装置３０を構成する構成要素は、プロセッサがメモリに格納されたプログラムを実行することによって処理が実行されるソフトウェアもしくはモジュール等であってもよい。もしくは、ゲートウェイ装置３０を構成する構成要素は、回路もしくはチップ等のソフトウェアであってもよい。
【００２６】
管理部３１は、通信端末１０が無線通信装置２１とともに無線通信装置２２と無線通信を行い、通信アグリゲーションを形成している際に、通信端末１０に割り当てられた少なくとも１つのベアラと、無線通信装置２１との通信に用いるＲＡＴ及び無線通信装置２２との通信に用いるＲＡＴを示す情報とを関連付けて管理する。例えば、通信端末１０が無線通信装置２１を介して通信するために割り当てられたベアラと、無線通信装置２２を介して通信するために割り当てられたベアラとが異なる場合、管理部３１は、ベアラとＲＡＴとを１対１に対応付けて管理する。
【００２７】
もしくは、通信端末１０に１つのベアラが割り当てられ、１つのベアラにおいて無線通信装置２１との通信に用いるＲＡＴと、無線通信装置２２との通信に用いるＲＡＴとが含まれる場合、管理部３１は、１つのベアラに対して２つのＲＡＴを対応付けて管理する。なお、１つのベアラに対して３つ以上のＲＡＴが対応付けられてもよい。
【００２８】
課金システム通信部３２は、管理部３１においてベアラ単位に管理されているＲＡＴに関する情報をポリシィ課金制御装置４０へ送信する。
【００２９】
以上説明したように、ゲートウェイ装置３０は、通信端末１０が使用しているＲＡＴをベアラ単位に関連付けて管理することによって、ポリシィ課金制御装置４０へ、通信端末１０が使用しているＲＡＴをベアラ毎に通知することができる。これにより、ポリシィ課金制御装置４０は、通信端末１０が実際に使用しているＲＡＴを正確に把握することができるため、ＲＡＴに応じた課金制御を行うことができる。また、図１Ｂを用いて、図１Ａと異なる通信システムの構成について説明する。図１Ａは、無線通信装置２２が直接ゲートウェイ装置３０と接続する構成を示しているのに対して、図１Ｂは、無線通信装置２２が無線通信装置２１を介してゲートウェイ装置３０と接続する構成を示している。
【００３０】
（実施の形態２）
続いて、図２Ａを用いて本開示の実施の形態２にかかる通信システムの構成例について説明する。図２Ａにおいては、３ＧＰＰにおいて規定されているノードによって構成された通信システムの構成例について説明する。なお、図２Ａでは課金システムは省略しており、図３で後述する。
【００３１】
図２Ａの通信システムは、ＵＥ５０、ＬＴＥ向け基地局ｅＮＢ６０、異RAT通信装置７０、移動管理ノードＭＭＥ（Mobility Management Entity）８０、ＳＧＷ（Serving Gateway）９０、ＰＧＷ１００、及びＰＣＲＦ（Policy Control and Charging Rules）エンティティ１１０（以下、ＰＣＲＦ１１０と記載する）を有している。
【００３２】
ＵＥ５０は、図１Ａの通信端末１０に相当する。ｅＮＢ６０は、図１Ａの無線通信装置２１に相当する。異RAT通信装置７０は、図１Ａの無線通信装置２２に相当する。ＰＧＷ１００は、図１Ａのゲートウェイ装置３０に相当する。ＰＣＲＦ１１０は、図１Ａのポリシィ課金制御装置４０に相当する。
【００３３】
異RAT通信装置７０は、将来的に３ＧＰＰにおいて規定される次世代の無線通信方式である５Ｇ無線通信方式をサポートする基地局であっても良い。また、異RAT通信装置７０は、無線ＬＡＮ通信を行うＷＴ（Wireless LAN Termination）であっても良い。また、異RAT通信装置７０は、使用許可の不要な周波数帯(unlicensed spectrum)を用いた５Ｇ無線通信方式をサポートする基地局であっても良い。ここでは、説明を容易にするために、次世代の無線通信方式もしくは無線アクセス技術を５Ｇと称しているが、その名称は５Ｇに制限されない。また、ここでは、説明を容易にするために、ＵＥ５０は、ＬＴＥ及び５Ｇ無線通信方式の両方をサポートする端末とする。
【００３４】
ＭＭＥ８０は、主にＵＥ５０の移動管理やベアラの設定／削除の要求や指示を行う装置である。ＳＧＷ９０及びＰＧＷ１００は、ＵＥ５０において送信または受信されるユーザデータ（パケット）を中継するゲートウェイ装置である。ＳＧＷ９０は無線アクセスシステムを収容し、またＰＧＷ１００は外部ネットワーク（PDN：Packet Data Networkなど）への接続を行う。ＰＣＲＦ１１０は、ＳＧＷ９０及びＰＧＷ１００におけるＱｏＳ制御もしくは課金制御等のポリシー（課金体系）を決定する。
【００３５】
次に、３ＧＰＰにおける各装置間のインタフェースを説明する。ｅＮＢ６０とＭＭＥ８０との間は、Ｓ１−ＭＭＥインタフェースとして規定されている。ｅＮＢ６０とＳＧＷ９０との間は、Ｓ１−Ｕインタフェースとして規定されている。ＭＭＥ８０とＳＧＷ９０との間は、Ｓ１１インタフェースとして規定されている。ＳＧＷ９０とＰＧＷ１００との間は、Ｓ５インタフェースとして規定されている。ＰＧＷ１００とＰＣＲＦ１１０との間は、Ｇｘインタフェースとして規定されている。なお、インタフェースとの用語は、リファレンスポイントと置き換えられてもよい。
【００３６】
ｅＮＢ６０と異RAT通信装置７０との間は、３ＧＰＰにおいてｅＮＢ間のインタフェースとして定められているＸ２インタフェースに相当するインタフェースが規定されてもよい。また、ｅＮＢ６０と異RAT通信装置７０との間は、３ＧＰＰにおいてｅＮＢとＷＴの間のインタフェースとして定められているＸｗインタフェースに相当するインタフェースが規定されてもよい。また、異RAT通信装置７０とＳＧＷ９０との間は、Ｓ１−Ｕインタフェースに相当するインタフェースが規定されてもよい。なお、５Ｇ基地局７０とＳＧＷ９０との間にインタフェースが設定されない場合は、５Ｇ基地局７０は、ｅＮＢ６０を介して、ＳＧＷ９０とデータの送受信を行うことができる。
【００３７】
図２Ａの通信システムは、ＵＥ５０が、ｅＮＢ６０とＬＴＥ通信を行うとともに異RAT通信装置７０と５Ｇ無線通信を行い、ＬＴＥ及び５Ｇを用いた通信を形成していることを示している。ＵＥ５０がｅＮＢ６０を介した通信を行う際のベアラは、ＵＥ５０が異RAT通信装置７０を介した通信を行う際のベアラと異なるとする。また、図２Ｂを用いて、図２Ａとは異なる通信システムの構成例について説明する。図２Ａは、異RAT通信装置７０が直接ＳＧＷ９０とＳ１−Ｕインタフェースに相当するインタフェースを用いて接続する構成を示しているのに対して、図２Ｂは、異RAT通信装置７０がｅＮＢ６０を介してＳＧＷ９０と接続する構成を示している。
【００３８】
続いて、図３を用いて、課金システムの構成例について説明する。図３の課金システムは、ＰＧＷ１００、ＰＣＲＦ１１０、ＡＦ（Application Function）エンティティ１２０（以下、ＡＦ１２０と記載する）、ＯＣＳ（Online Charging System）１３０、ＴＤＦ（Traffic Detection Function）エンティティ１４０（以下、ＴＤＦ１４０と記載する）、及びＯＦＣＳ（Offline Charging System）１５０を有している。図３の課金システムにおいては、ＰＧＷ１００は、ＰＣＥＦ（Policy and Charging Enforcement Function）を有し、ＰＣＥＦを用いて課金システムを構成する各装置と通信を行ってもよい。
【００３９】
ＡＦ１２０は、アプリケーションサーバであり、ＵＥ５０に対して提供するアプリケーションサービスに関する制御を行う。ＴＤＦ１４０は、ＰＧＷ１００が送信または受信するデータについて、ＰＣＲＦ１１０を通じてフロー単位のサービス種別を検出する。ＯＣＳ１３０及びＯＦＣＳ１５０は、ＵＥ５０の課金契約に応じて課金制御等を行う。例えば、プリペイドサービスなどの課金契約の場合、常時通信量をモニタする能力を持つＯＣＳ１３０が課金処理を行う。一方、月極めの課金契約などの場合はＯＦＣＳ１５０が課金処理を行う。
【００４０】
次に、３ＧＰＰにおける各装置間のインタフェースを説明する。ＰＧＷ１００とＰＣＲＦ１１０との間は、Ｇｘインタフェースとして規定されている。ＰＧＷ１００とＯＣＳ１３０との間は、Ｇｙインタフェースとして規定されている。ＰＧＷ１００とＯＦＣＳ１５０との間は、Ｇｚインタフェースとして規定されている。ＴＤＦ１４０とＯＣＳ１３０との間は、Ｇｙｎとして規定されている。ＴＤＦ１４０とＯＦＣＳ１５０との間は、Ｇｚｎとして規定されている。ＴＤＦ１４０とＰＣＲＦ１１０との間は、Ｓｄインタフェースとして規定されている。ＰＣＲＦ１１０とＯＣＳ１３０との間は、Ｓｙインタフェースとして規定されている。ＰＣＲＦ１１０とＡＦ１２０との間は、Ｒｘインタフェースとして規定されている。
【００４１】
ＰＧＷ１００は、ベアラ毎に管理しているＲＡＴ ｔｙｐｅを、Ｇｘ、Ｇｙ、及びＧｚインタフェースを介して各装置へ送信する。さらに、ＰＣＲＦ１１０は、ベアラ毎に管理しているＲＡＴ ｔｙｐｅをＲｘ及びＳｄインタフェースを介して各装置へ送信する。
【００４２】
続いて、図４を用いて本開示の実施の形態２にかかるＰＧＷ１００の構成例について説明する。ＰＧＷ１００は、コアネットワーク通信部１０１、管理部１０２、及びＰＣＣ（Policy and Charging Control）通信部１０３を有している。ＰＣＥＦは、管理部１０２及びＰＣＣ通信部１０３によって実行される。
【００４３】
コアネットワーク通信部１０１は、ＳＧＷ９０との間においてＵＥ５０に関するユーザデータを送信または受信する。また、コアネットワーク通信部１０１は、ＵＥ５０に割り当てられたベアラ毎に用いられているＲＡＴ ｔｙｐｅをＳＧＷ９０から受信する。コアネットワーク通信部１０１は、受信したＲＡＴ ｔｙｐｅに関する情報を管理部１０２へ出力する。
【００４４】
管理部１０２は、ＲＡＴ ｔｙｐｅをＵＥ５０に割り当てられたベアラと関連付けて管理する。ここで、図５を用いて、3GPP TS23.401 V13.1.0 (2014-12) Table 5.7.4-1:P-GW contextにおいて規定されているＰＧＷ１００が管理するパラメータ一覧に、ベアラと関連付けられＲＡＴ ｔｙｐｅが追加された例について説明する。
【００４５】
図５に記載されているＦｉｅｌｄには、ＰＧＷ１００が、ベアラ毎に管理しているパラメータが記載されている。図５のＦｉｅｌｄには、EPS（Evolved Packet System） Bearer IDが設定されている。図５のEPS Bearer IDの下に記載されているＦｉｅｌｄには、EPS Bearer ID単位に管理されているパラメータが示されている。EPS Bearerは、ＵＥ５０とＰＧＷ１００との間において設定されているベアラである。
【００４６】
図５は、EPS Bearer ID単位に管理されているパラメータに、ＲＡＴ ｔｙｐｅ（最下部に図示）が含まれていることを示している。このようにして、ＰＧＷ１００の管理部１０２は、ＲＡＴ ｔｙｐｅと、EPS Bearer IDとを関連付けて管理している。
【００４７】
図４に戻り、ＰＣＣ通信部１０３は、管理部１０２においてEPS Bearer ID単位に管理されているＲＡＴ ｔｙｐｅを、ＰＣＲＦ１１０、ＯＣＳ１３０、及びＯＦＣＳ１５０へ送信する。
【００４８】
なお、ＵＥ５０単位にＲＡＴ  ｔｙｐｅが管理されている場合も、ＰＣＣ通信部１０３は、ＵＥ５０単位に管理されているＲＡＴに優先して、図５のEPS Bearer ID単位に管理されているＲＡＴ ｔｙｐｅをＰＣＲＦ１１０、ＯＣＳ１３０、及びＯＦＣＳ１５０へ送信する。
【００４９】
続いて、図６を用いて本開示の実施の形態２にかかるｅＮＢ６０の構成例について説明する。ｅＮＢ６０は、無線通信部６１、異ＲＡＴ通信部６２、及びコアネットワーク通信部６３を有している。ｅＮＢ６０を構成する構成要素は、プロセッサがメモリに格納されたプログラムを実行することによって処理が実行されるソフトウェアもしくはモジュール等であってもよい。もしくは、ｅＮＢ６０を構成する構成要素は、回路もしくはチップ等のソフトウェアであってもよい。
【００５０】
無線通信部６１は、ＵＥ５０とＬＴＥ通信を行う。異ＲＡＴ通信部６２は、ＬＴＥと異なる無線通信方式をサポートする他の無線通信装置と通信を行う。ここでは、異ＲＡＴ通信部６２は、異RAT通信装置７０と通信を行う。コアネットワーク通信部６３は、ＭＭＥ８０との間において、制御データを送信または受信する。制御データは、例えば、Ｃ（Control）−Ｐｌａｎｅデータと称されてもよい。また、コアネットワーク通信部６３は、ＳＧＷ９０との間において、ユーザデータを送信または受信する。ユーザデータは、例えば、Ｕ（User）−Ｐｌａｎｅデータと称されてもよい。ここでは、コアネットワーク通信部６３が、制御データ及びユーザデータを送信または受信することを示しているが、制御データを送信または受信する通信部と、ユーザデータを送信または受信する通信部とが異なる機能ブロックもしくは異なるインタフェースであってもよい。
【００５１】
異ＲＡＴ通信部６２は、ｅＮＢ６０がＵＥ５０とＬＴＥ通信を行っている際に、ＬＴＥと、５Ｇとを用いた同時通信を形成する装置として、異RAT通信装置７０を追加する処理を実行する。
【００５２】
続いて、図７を用いてＵＥ５０の構成例について説明する。ＵＥ５０は、ＬＴＥ通信部５１及び異RAT通信部５２を有している。ＬＴＥ通信部５１は、ｅＮＢ６０とＬＴＥ通信を行う。異RAT通信部５２は、異RAT通信装置７０と５Ｇ通信を行う。ＵＥ５０は、ＬＴＥ通信部５１及び異RAT通信部５２を用いて、ｅＮＢ６０及び異RAT通信装置７０と同時通信を形成する。また、ＵＥ５０は、異なる複数の無線アクセス技術を用いて同時に通信（デュアル接続）を行える端末である。
【００５３】
続いて、図８を用いて本開示の実施の形態２にかかる３ＧＰＰにおけるＲＡＴ ｔｙｐｅの送信処理の流れについて説明する。なお、図８は、3GPP TS23.401 V13.1.0 (2014-12) Figure 5.4.7-1を参照している。図８は、E-UTRAN（Evolved Universal Terrestrial Radio Access Network） initiated E-RAB（EPS-Radio Access Bearer） modification procedureに関する処理の流れを説明している。具体的には、図８は、ＵＥ５０とｅＮＢ６０とがＬＴＥ通信を行っている際に、ＬＴＥと５Ｇとの同時通信を形成する装置として、異RAT通信装置７０を追加した場合におけるＲＡＴ ｔｙｐｅの送信処理の流れを示している。
【００５４】
はじめに、ＵＥ５０、ｅＮＢ６０、及び異RAT通信装置７０の間において、異RAT通信装置７０を追加する処理を実行する（SCG（Secondary Cell Group） Modification）（Ｓ１１）。ＳＣＧは、ＬＴＥと５Ｇとの同時通信を形成するにあたり、追加された基地局（それによるサービスセル）を示す。具体的には、図８においては、異RAT通信装置７０が、ＳＣＧに相当する。一方、ＵＥ５０が最初に通信をしていたｅＮＢ６０は、ＭＣＧ（Master Cell Group）に相当する。
【００５５】
次に、ｅＮＢ６０と異RAT通信装置７０との間において、ユーザデータの転送が行われる（Forwarding of data）（Ｓ１２）。
【００５６】
次に、ｅＮＢ６０は、異RAT通信装置７０をＳＣＧとして追加したことに伴いベアラ情報を更新するために、E-RAB Modification IndicationメッセージをＭＭＥ８０へ送信する（Ｓ１３）。更新する対象のベアラ情報は、Ｅ−ＲＡＢ（E-UTRAN Radio Access Bearer）である。Ｅ−ＲＡＢは、ＵＥ５０とＳＧＷ９０との間に設定されるベアラである。また、Ｅ−ＲＡＢは、ＵＥ５０とＰＧＷ１００との間に設定されるＥＰＳベアラ（EPS Bearer）と一対一に対応する。
【００５７】
ここで、図９を用いて、E-RAB Modification Indicationメッセージに設定されるパラメータ情報について説明する。なお、図９は、3GPP TS 36.413 V13.0.0 (2015-06) 9.1.3.8節を参照している。IE/Group Nameの下に、E-RAB Modification Indicationメッセージに設定されるパラメータ情報が記載されている。
【００５８】
E-RAB to be Modified Listには、ＬＴＥと５Ｇとの同時通信を形成するために追加した異RAT通信装置７０に関するパラメータが設定される。例えば、E-RAB to be Modified Item IEs（Information Elements）には、ＵＥ５０が異RAT通信装置７０と通信を行う際に割り当てられるE-RABを識別するE-RAB IDが設定される。さらに、E-RAB to be Modified Item IEsには、ＵＥ５０が異RAT通信装置７０との通信に用いているＲＡＴを示すＲＡＴ ｔｙｐｅ（５Ｇ）が設定されている。例えば、E-RAB to be Modified Item IEsに設定されるＲＡＴ ｔｙｐｅには、５Ｇを示す情報が設定されてもよい。
【００５９】
ここで、異RAT通信装置７０を介してＵＥ５０とＳＧＷ９０との間に設定されるベアラは、Ｅ−ＲＡＢと異なる名称が用いられてもよい。図９においては、説明を容易にするために、異RAT通信装置７０を介してＵＥ５０とＳＧＷ９０との間に設定されるベアラをＥ−ＲＡＢとして説明している。また、E-RAB to be Modified List、E-RAB to be Modified Item IEs、E-RAB IDとの名称は、異RAT通信装置７０を介してＵＥ５０とＳＧＷ９０との間に設定されるベアラの名称に応じて変更されてもよい。
【００６０】
E-RAB not to be Modified Listには、ＵＥ５０が最初に通信を行っていたｅＮＢ６０に関するパラメータが設定される。例えば、E-RAB not to be Modified Item IEsには、ＵＥ５０がｅＮＢ６０と通信を行う際に割り当てられるE-RABを識別するE-RAB IDが設定される。さらに、E-RAB not to be Modified Item IEsには、ＵＥ５０がｅＮＢ６０との通信に用いているＲＡＴを示すＲＡＴ ｔｙｐｅ（ＬＴＥ）が設定されている。例えば、E-RAB not to be Modified Item IEsに設定されるＲＡＴ ｔｙｐｅには、ＬＴＥを示す情報が設定されてもよい。
【００６１】
ｅＮＢ６０は、E-RAB IDに関連付けられたＲＡＴ ｔｙｐｅを含むE-RAB Modification IndicationメッセージをＭＭＥ８０へ送信する。
【００６２】
図８に戻り、ＭＭＥ８０は、E-RAB Modification Indicationメッセージを受信すると、E-RAB IDに関連付けられたＲＡＴ ｔｙｐｅを設定したModify Bearer RequestメッセージをＳＧＷ９０へ送信する（Ｓ１４）。さらに、ＳＧＷ９０は、E-RAB IDに関連づけられたＲＡＴ ｔｙｐｅを設定したModify Bearer RequestメッセージをＰＧＷ１００へ送信する（Ｓ１５）。
【００６３】
ここで、図１０を用いて、Modify Bearer Requestメッセージに設定されるパラメータ情報について説明する。なお、図１０は、3GPP TS 29.274 V13.2.0 (2015-06) Table 7.2.7-2を参照している。図１０に示すように、Modify Bearer Requestメッセージには、EPS Bearer IDとともにＲＡＴ ｔｙｐｅが設定されている。また、図９に示す例のように、E-RAB IDが複数存在する場合、複数のBearer Context IE TypeがModify Bearer Requestメッセージに設定され、EPS Bearer ID毎に、ＲＡＴ ｔｙｐｅが設定される。また、ＲＡＴ ｔｙｐｅは、Modify Bearer Requestメッセージ毎にも設定可能である。言い換えると、ＲＡＴ ｔｙｐｅは、Modify Bearer Requestメッセージにおいて、ＵＥ毎に設定可能である。この場合、Modify Bearer Requestメッセージに設定されたＲＡＴ ｔｙｐｅは全てのEPS Bearerに対して有効である事を意味する。ただし、Modify Bearer Requestメッセージ、およびEPS Bearer IDに、それぞれＲＡＴ ｔｙｐｅが設定された場合は、EPS Bearer IDに設定されたＲＡＴ ｔｙｐｅを優先して処理してもよい。
【００６４】
図８に戻り、ＰＧＷ１００は、Modify Bearer Requestメッセージに対する応答として、Modify Bearer ResponseメッセージをＳＧＷ９０へ送信する（Ｓ１６）。さらに、ＳＧＷ９０は、Modify Bearer ResponseメッセージをＭＭＥ８０へ送信する（Ｓ１７）。ステップＳ１７以降、ＳＧＷ９０は、ＵＥ５０を宛先とするユーザデータをｅＮＢ６０及び異RAT通信装置７０へ送信することができる。また、ステップＳ１７以降、ＳＧＷ９０は、ＵＥ５０から送信されたユーザデータを、ｅＮＢ６０もしくは異RAT通信装置７０を介して受信することができる。
【００６５】
図８の処理の流れにおいては、E-RAB Modification Indicationメッセージ及びModify Bearer Requestメッセージに、E-RAB IDもしくはEPS Bearer IDに対応付けられたＲＡＴ ｔｙｐｅを設定することについて説明したが、これら以外の他のメッセージにおいて、ベアラに対応付けられたＲＡＴ ｔｙｐｅを設定してもよい。
【００６６】
例えば、図１１には、ＡＴＴＡＣＨ処理もしくはTracking Area Update処理等において用いられるCreate Session Requestメッセージに、EPS Bearer IDごとにＲＡＴ ｔｙｐｅが設定されることを示している。なお、図１１は、3GPP TS 29.274 V13.2.0 (2015-06) Table 7.2.1-2を参照している。ＭＭＥ８０が、そのように設定されたCreate Session RequestメッセージをＳＧＷ９０へ送信する。また、ＲＡＴ ｔｙｐｅは、Create Session Requestメッセージ毎にも設定可能である。言い換えると、ＲＡＴ ｔｙｐｅはCreate Session Requestメッセージにおいて、ＵＥ毎に設定可能である。この場合、Create Session Requestメッセージに設定されたＲＡＴ ｔｙｐｅは全てのEPS Bearerに対して有効である事を意味する。ただし、Create Session Requestメッセージ、およびEPS Bearer IDに、それぞれＲＡＴ ｔｙｐｅが設定された場合は、EPS Bearer IDに設定されたＲＡＴ ｔｙｐｅを優先して処理してもよい。更に、ＳＧＷ９０が、そのように設定されたCreate Session RequestメッセージをＰＧＷ１００へ送信（転送）する。
【００６７】
また、図１２には、ＵＥ５０が異RAT通信装置７０を追加してＬＴＥと５Ｇとの同時通信を形成することに伴いベアラの割当を要求する場合、もしくは、ベアラの変更（ｍｏｄｉｆｙ）を要求する場合に用いられるBearer Resource CommandメッセージにEPS Bearer IDごとにＲＡＴ ｔｙｐｅが設定されることを示している。なお、図１２は、3GPP TS 29.274 V13.2.0 (2015-06) Table 7.2.5-2を参照している。ＭＭＥ８０が、そのように設定されたBearer Resource CommandメッセージをＳＧＷ９０へ送信する。また、ＲＡＴ ｔｙｐｅは、Bearer Resource Commandメッセージ毎にも設定可能である。言い換えると、ＲＡＴ ｔｙｐｅはBearer Resource Commandメッセージにおいて、ＵＥ毎に設定可能である。この場合、Bearer Resource Commandメッセージに設定されたＲＡＴ ｔｙｐｅは全てのEPS Bearerに対して有効である事を意味する。ただし、Bearer Resource Commandメッセージ、およびEPS Bearer IDに、それぞれＲＡＴ ｔｙｐｅが設定された場合は、EPS Bearer IDに設定されたＲＡＴ ｔｙｐｅを優先して処理してもよい。さらに、ＳＧＷ９０が、そのように設定されたBearer Resource CommandメッセージをＰＧＷ１００へ送信（転送）する。
【００６８】
また、図１３には、ＳＧＷ９０の変更が生じないハンドオーバ処理等において用いられるModify Access Bearers RequestメッセージにEPS Bearer IDごとにＲＡＴ ｔｙｐｅが設定されることを示している。なお、図１３は、3GPP TS 29.274 V13.2.0 (2015-06) Table 7.2.24-2を参照している。ＭＭＥ８０が、そのように設定されたModify Access Bearers RequestメッセージをＳＧＷ９０へ送信する。また、ＲＡＴ ｔｙｐｅは、Modify Access Bearers Requestメッセージ毎にも設定可能である。言い換えると、ＲＡＴ ｔｙｐｅはModify Access Bearers Requestメッセージにおいて、ＵＥ毎に設定可能である。この場合、Modify Access Bearers Requestメッセージに設定されたＲＡＴ ｔｙｐｅは全てのEPS Bearerに対して有効である事を意味する。ただし、Modify Access Bearers Requestメッセージ、およびEPS Bearer IDに、それぞれＲＡＴ ｔｙｐｅが設定された場合は、EPS Bearer IDに設定されたＲＡＴ ｔｙｐｅを優先して処理してもよい。
【００６９】
また、図１４には、Tracking Area Update処理等において用いられるContext Requestメッセージに、EPS Bearer IDごとにＲＡＴ ｔｙｐｅが設定されることを示している。なお、図１４は、3GPP TS 29.274 V13.2.0 (2015-06) Table 7.3.5-1を参照している。Context Requestメッセージは、ＵＥ５０が、ＭＭＥの変更を伴う場所に移動した場合に、変更後のＭＭＥと変更前のＭＭＥとの間において伝送される。また、ＲＡＴ ｔｙｐｅは、Context Requestメッセージ毎にも設定可能である。言い換えると、ＲＡＴ ｔｙｐｅはContext Requestメッセージにおいて、ＵＥ毎に設定可能である。この場合、Context Requestメッセージに設定されたＲＡＴ ｔｙｐｅは全てのEPS Bearerに対して有効である事を意味する。ただし、Context Requestメッセージ、およびEPS Bearer IDに、それぞれＲＡＴ ｔｙｐｅが設定された場合は、EPS Bearer IDに設定されたＲＡＴ ｔｙｐｅを優先して処理してもよい。
【００７０】
また、図１５には、ＭＭＥ８０からＳＧＷ９０へ送信されるChange Notification Requestメッセージに、EPS Bearer IDごとにＲＡＴ ｔｙｐｅが設定されることを示している。なお、図１５は、3GPP TS 29.274 V13.2.0 (2015-06) Table 7.3.14-1を参照している。また、ＲＡＴ ｔｙｐｅは、Change Notification Requestメッセージ毎にも設定可能である。言い換えると、ＲＡＴ ｔｙｐｅはChange Notification Requestメッセージにおいて、ＵＥ毎に設定可能である。この場合、Change Notification Requestメッセージに設定されたＲＡＴ ｔｙｐｅは全てのEPS Bearerに対して有効である事を意味する。ただし、Change Notification Requestメッセージ、およびEPS Bearer IDに、それぞれＲＡＴ ｔｙｐｅが設定された場合は、EPS Bearer IDに設定されたＲＡＴ ｔｙｐｅを優先して処理してもよい。
【００７１】
続いて、図１６を用いて、ＰＧＷ１００がＰＣＲＦ１１０へＲＡＴ ｔｙｐｅを送信する処理の流れについて説明する。
【００７２】
ＰＧＷ１００は、ＵＥ５０が、ｅＮＢ６０及び異RAT通信装置７０と、ＬＴＥと５Ｇとの同時通信を形成すると、IP-CAN（IP-Connectivity Access Network） Sessionが確立したことをＰＣＲＦ１１０へ通知する。具体的には、ＰＧＷ１００は、Diameter CCR（Credit Control Request）メッセージをＰＣＲＦ１１０へ送信する（Ｓ２１）。ＰＧＷ１００は、Diameter CCRメッセージに、EPSベアラと関連付けられたＲＡＴ ｔｙｐｅを設定する。ＰＣＲＦ１１０は、Diameter CCRメッセージを受信することによって、EPSベアラと関連付けられたＲＡＴ ｔｙｐｅを把握することができる。また、ＲＡＴ ｔｙｐｅは、Diameter CCRメッセージ毎にも設定可能である。言い換えると、ＲＡＴ ｔｙｐｅはDiameter CCRメッセージにおいて、ＵＥ毎に設定可能である。この場合、Diameter CCRメッセージに設定されたＲＡＴ ｔｙｐｅは全てのEPSベアラに対して有効である事を意味する。ただし、Diameter CCRメッセージ、およびEPSベアラに、それぞれＲＡＴ ｔｙｐｅが設定された場合は、EPS Bearer IDに設定されたＲＡＴ ｔｙｐｅを優先して処理してもよい。
【００７３】
続いて、図１７を用いてＰＣＲＦ１１０とＴＤＦ１４０との間のDiameterメッセージの伝送処理について説明する。ＰＣＲＦ１１０は、ＵＥ５０に関するユーザーデータトラヒックの中から、特定のパケットフローを抽出するためのＡＤＣ（Application Detection and Control）ルールを設定したDiameter TSR（TDF Session Request）メッセージをＴＤＦ１４０へ送信する（Ｓ３１）。ＰＣＲＦ１１０は、Diameter TSRメッセージに、EPSベアラと関連付けられたＲＡＴ ｔｙｐｅを設定する。また、ＲＡＴ ｔｙｐｅは、Diameter TSRメッセージ毎にも設定可能である。言い換えると、ＲＡＴ ｔｙｐｅはDiameter TSRメッセージにおいて、ＵＥ毎に設定可能である。この場合、Diameter TSRメッセージに設定されたＲＡＴ ｔｙｐｅは全てのEPSベアラに対して有効である事を意味する。ただし、Diameter TSRメッセージ、およびEPSベアラに、それぞれＲＡＴ ｔｙｐｅが設定された場合は、EPSベアラに設定されたＲＡＴ ｔｙｐｅを優先して処理してもよい。
【００７４】
次に、ＴＤＦ１４０は、応答メッセージとして、Diameter TSA（TDF Session Answer）メッセージをＰＣＲＦ１１０へ送信する（Ｓ３２）。
【００７５】
図１６及び図１７において示した以外にも、EPSベアラと関連付けられたＲＡＴ ｔｙｐｅは、Diameterメッセージを用いて、ＡＦ１２０、ＯＣＳ１３０、及びＯＦＣＳ１５０へ送信される。また、ＲＡＴ ｔｙｐｅは、Diameter TSAメッセージ毎にも設定可能である。言い換えると、ＲＡＴ ｔｙｐｅはDiameter TSAメッセージにおいて、ＵＥ毎に設定可能である。この場合、Diameter TSAメッセージに設定されたＲＡＴ ｔｙｐｅは全てのEPSベアラに対して有効である事を意味する。ただし、Diameter TSAメッセージ、およびEPSベアラに、それぞれＲＡＴ ｔｙｐｅが設定された場合は、EPSベアラに設定されたＲＡＴ ｔｙｐｅを優先して処理してもよい。
【００７６】
ここで、各種メッセージに設定されるＲＡＴ ｔｙｐｅの値について説明する。現状、3GPP TS 29.274 V13.2.0 (2015-06) Table 8.17-1においては、図１８に示すＶａｌｕｅｓ０〜７までが、ＲＡＴ ｔｙｐｅを示す値として規定されている。例えば、Ｖａｌｕｅ３は、無線ＬＡＮ（ＷＬＡＮ）を示し、Ｖａｌｕｅ６は、ＥＵＴＲＡＮ（ＬＴＥ）を示す。ここで、図１８においては、５Ｇを示すＲＡＴ ｔｙｐｅの値として、８が新たに追加されていることを示している。これより、各種メッセージにおいて、ＲＡＴ ｔｙｐｅとしてＬＴＥを示す場合、６を設定し、５Ｇを示す場合、８を設定することができる。
【００７７】
以上説明したように、E-RAB IDもしくはEPS Bearer IDと関連付けられたＲＡＴ ｔｙｐｅは、３ＧＰＰにおいて規定されている各種メッセージに設定され、ＰＧＷ１００を含む関連ノードへ送信される。これにより、ＰＧＷ１００は、ＵＥ５０がＬＴＥと５Ｇとの同時通信を形成している場合に、ＵＥ５０単位ではなく、ＵＥ５０が使用しているベアラ単位のＲＡＴ ｔｙｐｅを把握することができる。これにより、ＰＧＷ１００は、ＬＴＥと５Ｇとの同時通信を形成しているＵＥ５０に対して、ＲＡＴ ｔｙｐｅに応じたベアラ単位の課金を実行することができる。
【００７８】
（実施の形態３）
続いて、図１９を用いて本開示の実施の形態３にかかる通信システムの構成例について説明する。図１９の通信システムは、図２Ｂの異RAT通信装置７０の替わりに無線ＬＡＮ通信を行うアクセスポイントＷＴ１６０を用いている。また、ＷＴ１６０とＳＧＷ９０との間にインタフェースは設定されず、ＷＴ１６０は、ｅＮＢ６０を介してＵＥ５０に関するユーザデータを送信または受信することを前提とする。ｅＮＢ６０とＷＴ１６０との間は、Ｘｗインタフェースとして規定されている。ＷＴ１６０は、例えば、無線ＬＡＮ通信における親機や基地局として用いられるＡＰ（Access Point）やＷｉＦｉルータであってもよい。
【００７９】
図１９の通信システムは、ＵＥ５０が、ｅＮＢ６０とＬＴＥ通信を行うとともにＷＴ１６０と無線ＬＡＮ通信を行い、ＬＴＥと無線ＬＡＮとを用いた同時通信を形成していることを示している。ｅＮＢ６０は、ＵＥ５０とのＬＴＥ通信に用いるベアラ及びＷＴ１６０を介した無線ＬＡＮ通信に用いるベアラを一つのベアラとすることを前提とする。つまり、ｅＮＢ６０は、異なる２つのＲＡＴを１つのベアラに設定することによって、ＵＥ５０との間にＬＴＥと無線ＬＡＮとの同時通信を形成する。
【００８０】
ここで、３ＧＰＰにおいて規定されている各種メッセージに設定するＲＡＴ ｔｙｐｅの値について説明する。現状、3GPP TS 29.274 V13.2.0 (2015-06) Table 8.17-1においては、図２０に示すＶａｌｕｅｓ０〜７までが、ＲＡＴ ｔｙｐｅを示す値として規定されている。例えば、Ｖａｌｕｅ３は、無線ＬＡＮ（ＷＬＡＮ）を示し、Ｖａｌｕｅ６は、ＥＵＴＲＡＮ（ＬＴＥ）を示す。
【００８１】
５Ｇ無線技術やＣＩｏＴ（Cellular ＩｏＴ（Internet of Things））専用の無線技術などの新たなＲＡＴについても、ＲＡＴ  ｔｙｐｅに新しいＶａｌｕｅ値を追加する事でＲＡＴの種別を表現する事ができる。また、６ＧＨｚ以下の周波数を用いた５Ｇ無線技術と６ＧＨｚ以上の周波数を用いた５Ｇ無線技術にそれぞれ別なＶａｌｕｅ値を追加してもかまわない。同様に、ＣＩｏＴ専用の無線技術についても、制御信号をデータ転送に用いる技術と専用ベアラをデータ転送に用いる技術にそれぞれ別なＶａｌｕｅ値を追加してもかまわない。
【００８２】
実施の形態２においては、ＵＥ５０がＬＴＥ−５Ｇアグリゲーションを形成している場合、ベアラ毎に、予め定義されたＶａｌｕｅの値を設定すればよい。しかし、実施の形態３のようにＵＥ５０がＬＴＥ−ＷＴアグリゲーションを形成する場合、一つのベアラに複数のＲＡＴを含むこととなる。このような場合、例えば、図２０に示すように、Ｖａｌｕｅ８のＲＡＴ ｔｙｐｅは、ＥＵＴＲＡＮ＋ＷＬＡＮを示すと定義してもよい。つまり、図１９に示されている各ノードは、ＲＡＴ ｔｙｐｅにＶａｌｕｅ８が設定されている場合、ＵＥ５０は、ＬＴＥ−ＷＴアグリゲーションを形成していると判定することができる。
【００８３】
もしくは、図２１に示すように、Ｖａｌｕｅ６＋３として、値を併記して示すことによって、ＵＥ５０がＬＴＥ−ＷＴアグリゲーションを形成していることを示してもよい。なお、図２１は、3GPP TS 29.274 V13.2.0 (2015-06) Table 8.17-1を参照している。
【００８４】
さらに、図２０及び図２１において、ＵＥ５０がＬＴＥ−ＷＴアグリゲーション形成している際に、１つのベアラにおいて伝送されているユーザデータのそれぞれのＲＡＴにおける使用率も併せて定義してもよい。
【００８５】
例えば、図２０において、Ｖａｌｕｅ８を、ＥＵＴＲＡＮ（３０％）＋ＷＬＡＮ（７０％）と定義し、Ｖａｌｕｅ９をＥＵＴＲＡＮ（５０％）＋ＷＬＡＮ（５０％）等と定義してもよい。ＥＵＴＲＡＮ（３０％）における３０％は、１つのベアラにおいて伝送されているユーザデータのうち３０％が、ＬＴＥ通信によって伝送されていることを示している。
【００８６】
また、図２１において、Ｖａｌｕｅ６（３０％）＋３（７０％）等と定義して、ＬＴＥ通信及びＷＬＡＮ通信の使用率を定義してもよい。
【００８７】
続いて、図２２を用いて本開示の実施の形態３にかかるE-RAB Modification Indicationメッセージに設定されるパラメータ情報について説明する。前述したように、実施の形態２では、図９において、ＵＥ５０が、ＬＴＥと５Ｇとの同時通信を形成する際に、ｅＮＢ６０と異RAT通信装置７０とにおいて、異なるE-RAB IDによって識別されるE-RABを用いることを前提としている。そのため、図９においては、E-RAB Modification Indicationメッセージ内に、E-RAB to be Modified List及びE-RAB not to be Modified Listが含まれている。
【００８８】
一方、図２２においては、ＵＥ５０がＬＴＥと無線ＬＡＮとの同時通信を形成する際に、ｅＮＢ６０及びＷＴ１６０において、同じE-RABを用いることを前提とする。そのため、E-RAB Modification Indicationメッセージ内に、E-RAB to be Modified Listのみが含まれている。E-RAB to be Modified Listにおいて、E-RAB IDと対応付けてＲＡＴ ｔｙｐｅを設定している。ＵＥ５０が、ＬＴＥと無線ＬＡＮとの同時通信を形成している場合、図２２のＲＡＴ ｔｙｐｅには、図２０又は図２１においてＲＡＴ ｔｙｐｅｓがＥＵＴＲＡＮ＋ＷＬＡＮを示すＶａｌｕｅが設定される。
【００８９】
また、ＬＴＥ通信及び無線ＬＡＮ通信を設定したベアラの名称は、Ｅ−ＲＡＢと異なる名称であってもよく、Ｅ−ＲＡＢとの名称に限定されない。
【００９０】
以上説明したように、本開示の実施の形態３のようにＲＡＴ ｔｙｐｅを定義することによって、１つのベアラに複数のＲＡＴ ｔｙｐｅを設定する場合においても、１つのベアラにおいて設定されているＲＡＴ ｔｙｐｅを正確に把握することができる。
【００９１】
さらに１つのベアラにおいて複数のＲＡＴ ｔｙｐｅが設定されている場合に、ＲＡＴ ｔｙｐｅ毎の使用率を定めることによって、課金制御においても、ＵＥ５０に対して、ＲＡＴ ｔｙｐｅの使用率に応じた課金を行うことができる。
【００９２】
また、ＲＡＴ ｔｙｐｅ毎に、通信事業者が事業で用いる事の許可されている周波数帯を使用しているのか使用許可の不要な周波数帯(unlicensed spectrum)を使用しているかを区別する情報を付加する事で、通信事業者が事業で用いる事の許可されている周波数帯の使用に応じた課金を行うことができる。例えば、既に定義されているＶａｌｕｅ６を、通信事業者が事業で用いる事の許可されている周波数帯を用いたＥＵＴＲＡＮ（ＬＴＥ）と定義し、新たなＶａｌｕｅとしてＬＡＡ  ＥＵＴＲＡＮ(Licensed-Assisted Access EUTRAN)としても良い。あるいは、各ＲＡＴ  ｔｙｐｅとは別に、通信事業者が事業で用いる事の許可されている周波数帯を使用しているのか使用許可の不要な周波数帯(unlicensed spectrum)を使用しているかを区別する新たなパラメータを規定して、ＲＡＴ  ｔｙｐｅと組み合わせる事で課金を行っても良い。
【００９３】
なお、本開示は上記実施の形態に限られたものではなく、趣旨を逸脱しない範囲で適宜変更することが可能である。例えば、実施の形態２におけるＬＴＥと５Ｇとの同時通信が、実施の形態３において説明したように１つのベアラを用いて実現されてもよい。また、実施の形態３におけるＬＴＥと無線ＬＡＮとの同時通信が、実施の形態２において説明したように２つのベアラを用いて実現されてもよい。また、本開示は、実施の形態１〜３を適宜組み合わせて実施されてもよい。
【００９４】
続いて以下では、上述の複数の実施形態で説明された、通信端末１０、無線通信装置２１、無線通信装置２２、及びゲートウェイ装置３０の構成例について説明する。図２３は、無線通信装置２１及び無線通信装置２２の構成例を示すブロック図である。図２３を参照すると、無線通信装置２１及び無線通信装置２２は、RFトランシーバ１００１、ネットワークインターフェース１００３、プロセッサ１００４、及びメモリ１００５を含む。RFトランシーバ１００１は、UEsと通信するためにアナログRF信号処理を行う。RFトランシーバ１００１は、複数のトランシーバを含んでもよい。RFトランシーバ１００１は、アンテナ１００２及びプロセッサ１００４と結合される。RFトランシーバ１００１は、変調シンボルデータ（又はOFDMシンボルデータ）をプロセッサ１００４から受信し、送信RF信号を生成し、送信RF信号をアンテナ１００２に供給する。また、RFトランシーバ１００１は、アンテナ１００２によって受信された受信ＲＦ信号に基づいてベースバンド受信信号を生成し、これをプロセッサ１００４に供給する。
【００９５】
ネットワークインターフェース１００３は、ネットワークノード（e.g., ゲートウェイ装置３０）と通信するために使用される。ネットワークインターフェース１００３は、例えば、IEEE 802.3 seriesに準拠したネットワークインターフェースカード（NIC）を含んでもよい。
【００９６】
プロセッサ１００４は、無線通信のためのデジタルベースバンド信号処理を含むデータプレーン処理とコントロールプレーン処理を行う。例えば、LTEおよびLTE-Advancedの場合、プロセッサ１００４によるデジタルベースバンド信号処理は、MACレイヤ、およびPHYレイヤの信号処理を含んでもよい。
【００９７】
プロセッサ１００４は、複数のプロセッサを含んでもよい。例えば、プロセッサ１００４は、デジタルベースバンド信号処理を行うモデム・プロセッサ（e.g., DSP）、及びコントロールプレーン処理を行うプロトコルスタック・プロセッサ（e.g., CPU又はMPU）を含んでもよい。
【００９８】
メモリ１００５は、揮発性メモリ及び不揮発性メモリの組み合わせによって構成される。メモリ１００５は、物理的に独立した複数のメモリデバイスを含んでもよい。揮発性メモリは、例えば、Static Random Access Memory（SRAM）若しくはDynamic RAM（DRAM）又はこれらの組み合わせである。不揮発性メモリは、マスクRead Only Memory（MROM）、Electrically Erasable Programmable ROM（EEPROM）、フラッシュメモリ、若しくはハードディスクドライブ、又はこれらの任意の組合せである。メモリ１００５は、プロセッサ１００４から離れて配置されたストレージを含んでもよい。この場合、プロセッサ１００４は、ネットワークインターフェース１００３又は図示されていないI/Oインタフェースを介してメモリ１００５にアクセスしてもよい。
【００９９】
メモリ１００５は、上述の複数の実施形態で説明された無線通信装置２１及び無線通信装置２２による処理を行うための命令群およびデータを含むソフトウェアモジュール（コンピュータプログラム）を格納してもよい。いくつかの実装において、プロセッサ１００４は、当該ソフトウェアモジュールをメモリ１００５から読み出して実行することで、上述の実施形態で説明されたリモートノード１０の処理を行うよう構成されてもよい。
【０１００】
図２４は、通信端末１０の構成例を示すブロック図である。Radio Frequency（RF）トランシーバ１１０１は、無線通信装置２１及び無線通信装置２２と通信するためにアナログRF信号処理を行う。RFトランシーバ１１０１により行われるアナログRF信号処理は、周波数アップコンバージョン、周波数ダウンコンバージョン、及び増幅を含む。RFトランシーバ１１０１は、アンテナ１１０２及びベースバンドプロセッサ１１０３と結合される。すなわち、RFトランシーバ１１０１は、変調シンボルデータ（又はOFDMシンボルデータ）をベースバンドプロセッサ１１０３から受信し、送信RF信号を生成し、送信RF信号をアンテナ１１０２に供給する。また、RFトランシーバ１１０１は、アンテナ１１０２によって受信された受信ＲＦ信号に基づいてベースバンド受信信号を生成し、これをベースバンドプロセッサ１１０３に供給する。
【０１０１】
ベースバンドプロセッサ１１０３は、無線通信のためのデジタルベースバンド信号処理（データプレーン処理）とコントロールプレーン処理を行う。デジタルベースバンド信号処理は、(a) データ圧縮／復元、(b) データのセグメンテーション／コンカテネーション、(c) 伝送フォーマット（伝送フレーム）の生成／分解、(d) 伝送路符号化／復号化、(e) 変調（シンボルマッピング）／復調、及び(f) Inverse Fast Fourier Transform（IFFT）によるOFDMシンボルデータ（ベースバンドOFDM信号）の生成などを含む。一方、コントロールプレーン処理は、レイヤ１（e.g., 送信電力制御）、レイヤ２（e.g., 無線リソース管理、及びhybrid automatic repeat request（HARQ）処理）、及びレイヤ３（e.g., アタッチ、モビリティ、及び通話管理に関するシグナリング）の通信管理を含む。
【０１０２】
例えば、LTEおよびLTE-Advancedの場合、ベースバンドプロセッサ１１０３によるデジタルベースバンド信号処理は、Packet Data Convergence Protocol（PDCP）レイヤ、Radio Link Control（RLC）レイヤ、MACレイヤ、およびPHYレイヤの信号処理を含んでもよい。また、ベースバンドプロセッサ１１０３によるコントロールプレーン処理は、Non-Access Stratum（NAS）プロトコル、RRCプロトコル、及びMAC CEの処理を含んでもよい。
【０１０３】
ベースバンドプロセッサ１１０３は、デジタルベースバンド信号処理を行うモデム・プロセッサ（e.g., Digital Signal Processor（DSP））とコントロールプレーン処理を行うプロトコルスタック・プロセッサ（e.g., Central Processing Unit（CPU）、又はMicro Processing Unit（MPU））を含んでもよい。この場合、コントロールプレーン処理を行うプロトコルスタック・プロセッサは、後述するアプリケーションプロセッサ１１０４と共通化されてもよい。
【０１０４】
アプリケーションプロセッサ１１０４は、CPU、MPU、マイクロプロセッサ、又はプロセッサコアとも呼ばれる。アプリケーションプロセッサ１１０４は、複数のプロセッサ（複数のプロセッサコア）を含んでもよい。アプリケーションプロセッサ１１０４は、メモリ１１０６又は図示されていないメモリから読み出されたシステムソフトウェアプログラム（Operating System（OS））及び様々なアプリケーションプログラム（例えば、通話アプリケーション、WEBブラウザ、メーラ、カメラ操作アプリケーション、音楽再生アプリケーション）を実行することによって、通信端末１０の各種機能を実現する。
【０１０５】
いくつかの実装において、図２４に破線（１１０５）で示されているように、ベースバンドプロセッサ１１０３及びアプリケーションプロセッサ１１０４は、１つのチップ上に集積されてもよい。言い換えると、ベースバンドプロセッサ１１０３及びアプリケーションプロセッサ１１０４は、１つのSystem on Chip（SoC）デバイス１１０５として実装されてもよい。SoCデバイスは、システムLarge Scale Integration（LSI）またはチップセットと呼ばれることもある。
【０１０６】
メモリ１１０６は、揮発性メモリ若しくは不揮発性メモリ又はこれらの組合せである。メモリ１１０６は、物理的に独立した複数のメモリデバイスを含んでもよい。揮発性メモリは、例えば、Static Random Access Memory（SRAM）若しくはDynamic RAM（DRAM）又はこれらの組み合わせである。不揮発性メモリは、マスクRead Only Memory（MROM）、Electrically Erasable Programmable ROM（EEPROM）、フラッシュメモリ、若しくはハードディスクドライブ、又はこれらの任意の組合せである。例えば、メモリ１１０６は、ベースバンドプロセッサ１１０３、アプリケーションプロセッサ１１０４、及びSoC１１０５からアクセス可能な外部メモリデバイスを含んでもよい。メモリ１１０６は、ベースバンドプロセッサ１１０３内、アプリケーションプロセッサ１１０４内、又はSoC１１０５内に集積された内蔵メモリデバイスを含んでもよい。さらに、メモリ１１０６は、Universal Integrated Circuit Card（UICC）内のメモリを含んでもよい。
【０１０７】
メモリ１１０６は、上述の複数の実施形態で説明された通信端末１０による処理を行うための命令群およびデータを含むソフトウェアモジュール（コンピュータプログラム）を格納してもよい。いくつかの実装において、ベースバンドプロセッサ１１０３又はアプリケーションプロセッサ１１０４は、当該ソフトウェアモジュールをメモリ１１０６から読み出して実行することで、上述の実施形態で説明された通信端末の処理を行うよう構成されてもよい。
【０１０８】
図２５は、ゲートウェイ装置３０の構成例を示すブロック図である。図２５を参照すると、ゲートウェイ装置３０は、ネットワークインターフェース１２０１、プロセッサ１２０２、及びメモリ１２０３を含む。ネットワークインターフェース１２０１は、ネットワークノード（e.g., 無線通信装置２１）と通信するために使用される。ネットワークインターフェース１２０１は、例えば、IEEE 802.3 seriesに準拠したネットワークインタフェースカード（NIC）を含んでもよい。
【０１０９】
プロセッサ１２０２は、メモリ１２０３からソフトウェア（コンピュータプログラム）を読み出して実行することで、上述の実施形態においてシーケンス図及びフローチャートを用いて説明されたゲートウェイ装置３０の処理を行う。プロセッサ１２０２は、例えば、マイクロプロセッサ、MPU、又はCPUであってもよい。プロセッサ１２０２は、複数のプロセッサを含んでもよい。
【０１１０】
プロセッサ１２０２は、無線通信のためのデジタルベースバンド信号処理を含むデータプレーン処理とコントロールプレーン処理を行う。例えば、LTEおよびLTE-Advancedの場合、プロセッサ１００４によるデジタルベースバンド信号処理は、PDCPレイヤ、RLCレイヤ、およびMACレイヤの信号処理を含んでもよい。さらに、プロセッサ１２０２による信号処理は、X2-Uインタフェース及びS1-UインタフェースでのGTP-U・UDP/IPレイヤの信号処理を含んでもよい。また、プロセッサ１００４によるコントロールプレーン処理は、X2APプロトコル、S1-MMEプロトコルおよびRRCプロトコルの処理を含んでもよい。
【０１１１】
プロセッサ１２０２は、複数のプロセッサを含んでもよい。例えば、プロセッサ１００４は、デジタルベースバンド信号処理を行うモデム・プロセッサ（e.g., DSP）、X2-Uインタフェース及びS1-UインタフェースでのGTP-U・UDP/IPレイヤの信号処理を行うプロセッサ（e.g., DSP）、及びコントロールプレーン処理を行うプロトコルスタック・プロセッサ（e.g., CPU又はMPU）を含んでもよい。
【０１１２】
メモリ１２０３は、揮発性メモリ及び不揮発性メモリの組み合わせによって構成される。メモリ１２０３は、プロセッサ１２０２から離れて配置されたストレージを含んでもよい。この場合、プロセッサ１２０２は、図示されていないI/Oインタフェースを介してメモリ１２０３にアクセスしてもよい。
【０１１３】
図２５の例では、メモリ１２０３は、ソフトウェアモジュール群を格納するために使用される。プロセッサ１２０２は、これらのソフトウェアモジュール群をメモリ１２０３から読み出して実行することで、上述の実施形態において説明されたゲートウェイ装置３０の処理を行うことができる。
【０１１４】
図２３〜図２５を用いて説明したように、上述の実施形態における通信端末１０、無線通信装置２１、無線通信装置２２、及びゲートウェイ装置３０が有するプロセッサの各々は、図面を用いて説明されたアルゴリズムをコンピュータに行わせるための命令群を含む１又は複数のプログラムを実行する。
【０１１５】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１１６】
以上、実施の形態を参照して本願開示を説明したが、本願開示は上記によって限定されるものではない。本願開示の構成や詳細には、開示のスコープ内で当業者が理解し得る様々な変更をすることができる。
【０１１７】
この出願は、２０１６年３月１日に出願された日本出願特願２０１６−０３８８３０を基礎とする優先権を主張し、その開示の全てをここに取り込む。
【０１１８】
上記の実施形態の一部又は全部は、以下の付記のようにも記載されうるが、以下には限られない。
（付記１）
通信端末が第１の無線アクセス技術を用いた第１の無線通信を行うとともに、第２の無線アクセス技術を用いた第２の無線通信と同時通信を行う際に、前記通信端末に割り当てられた少なくとも１つのベアラと、前記第１及び第２の無線アクセス技術を示す情報とを関連づけて管理する管理部と、
前記第１及び第２の無線アクセス技術を示す情報を、課金制御を行う少なくとも１つの課金制御装置へ送信する課金システム通信部と、を備える、ゲートウェイ装置。
（付記２）
前記課金システム通信部は、
前記無線アクセス技術を示す情報を設定したDiameterメッセージを少なくとも１つの前記課金制御装置へ送信する、付記１に記載のゲートウェイ装置。
（付記３）
第１の無線通信に第１のベアラが割り当てられ、第２の無線通信に第２のベアラが割り当てられている場合、
前記管理部は、
前記第１のベアラと前記第１の無線アクセス技術を示す第１の種別情報とを関連づけて管理し、前記第２のベアラと前記第２の無線アクセス技術を示す第２の種別情報とを関連づけて管理する、付記１又は２に記載のゲートウェイ装置。
（付記４）
前記管理部はさらに、
前記第１のベアラ及び前記第１の種別情報と、前記第２のベアラ及び前記第２の種別情報とを関連付けて管理するとともに、前記通信端末と、前記第１の種別情報とを関連付けて管理し、
前記課金システム通信部は、
前記第１のベアラに関連付けられた前記第１の種別情報及び前記第２のベアラに関連付けられた前記第２の種別情報を、前記通信端末に関連付けられた前記第１の種別情報に優先して、前記課金制御装置へ送信する、付記３に記載のゲートウェイ装置。
（付記５）
前記第１及び第２の無線通信に第３のベアラが割り当てられている場合、
前記管理部は、
前記第３のベアラと、前記第１の無線アクセス技術及び前記第２の無線アクセス技術を示す第３の種別情報とを関連付けて管理する、付記１又は２に記載のゲートウェイ装置。
（付記６）
前記管理部はさらに、
前記第３のベアラ及び前記第３の種別情報とを関連付けて管理するとともに、前記通信端末と、前記第１の無線アクセス技術を示す第１の種別情報とを関連付けて管理し、
前記課金システム通信部は、
前記第３のベアラに関連付けられた前記第３の種別情報を、前記通信端末に関連付けられた前記第１の種別情報に優先して、前記課金制御装置へ送信する、付記５に記載のゲートウェイ装置。
（付記７）
前記第１の無線通信を行う第１の無線通信装置及び前記第２の無線通信を行う第２の無線通信装置と、前記ゲートウェイ装置との間におけるユーザデータの伝送に関する制御を行うネットワーク装置から、前記通信端末に割り当てられた少なくとも１つのベアラと、前記第１及び第２の無線アクセス技術に関する情報とを関連づけた制御メッセージを受信するコアネットワーク通信部をさらに備える、付記１乃至６のいずれか１項に記載のゲートウェイ装置。
（付記８）
前記制御メッセージは、
Create Session Requestメッセージ、Bearer Resource Commandメッセージ、Modify Bearer Requestメッセージ、Modify Access Bearers Requestメッセージ、Context Requestメッセージ、及びChange Notification Requestメッセージの少なくとも１つを含む、付記７に記載のゲートウェイ装置。
（付記９）
通信端末と第１の無線アクセス技術を用いて第１の無線通信を行う無線通信装置であって、
前記通信端末が第１の無線通信を行うとともに第２の無線アクセス技術を用いた第２の無線通信と同時通信を行う際に、前記通信端末に割り当てられた少なくとも１つのベアラと、前記第１及び第２の無線アクセス技術を示す情報とを関連づけた情報を、前記ベアラを管理するネットワーク装置へ送信する、無線通信装置。
（付記１０）
通信端末が第１の無線アクセス技術を用いた第１の無線通信を行うとともに、第２の無線アクセス技術を用いた第２の無線通信と同時通信を行う際に、前記通信端末に割り当てられた少なくとも１つのベアラと、前記第１及び第２の無線アクセス技術を示す情報とを関連づけて管理し、
前記第１及び第２の無線アクセス技術を示す情報を、課金制御を行う少なくとも１つの課金制御装置へ送信する課金制御方法。
（付記１１）
通信端末と第１の無線アクセス技術を用いて第１の無線通信を行う無線通信装置において用いられるデータ送信方法であって、
前記通信端末が第１の無線通信を行うとともに第２の無線アクセス技術を用いた第２の無線通信と同時通信を行う際に、前記通信端末に割り当てられた少なくとも１つのベアラと、前記第１及び第２の無線アクセス技術を示す情報とを関連づけた情報を、前記ベアラを管理するネットワーク装置へ送信する、データ送信方法。
（付記１２）
通信端末が第１の無線アクセス技術を用いた第１の無線通信を行うとともに、第２の無線アクセス技術を用いた第２の無線通信と同時通信を行う際に、前記通信端末に割り当てられた少なくとも１つのベアラと、前記第１及び第２の無線アクセス技術を示す情報とを関連づけて管理し、
前記第１及び第２の無線アクセス技術を示す情報を、課金制御を行う少なくとも１つの課金制御装置へ送信することをコンピュータに実行させるプログラム。
（付記１３）
通信端末と第１の無線アクセス技術を用いて第１の無線通信を行うコンピュータに実行させるプログラムであって、
前記通信端末が第１の無線通信を行うとともに第２の無線アクセス技術を用いた第２の無線通信と同時通信を行う際に、前記通信端末に割り当てられた少なくとも１つのベアラと、前記第１及び第２の無線アクセス技術を示す情報とを関連づけた情報を、前記ベアラを管理するネットワーク装置へ送信することをコンピュータに実行させるプログラム。
【符号の説明】
【０１１９】
１０  通信端末
２１  無線通信装置
２２  無線通信装置
３０  ゲートウェイ装置
３１  管理部
３２  課金システム通信部
４０  ポリシィ課金制御装置
５０  ＵＥ
５１  ＬＴＥ通信部
５２  異RAT通信装置部
６０  ｅＮＢ
６１  無線通信部
６２  異ＲＡＴ通信部
６３  コアネットワーク通信部
７０  異RAT通信装置
８０  ＭＭＥ
９０  ＳＧＷ
１００  ＰＧＷ
１０１  コアネットワーク通信部
１０２  管理部
１０３  ＰＣＣ通信部
１１０  ＰＣＲＦ
１２０  ＡＦ
１３０  ＯＣＳ
１４０  ＴＤＦ
１５０  ＯＦＣＳ
１６０  ＷＴ
【図１Ａ】
2020074510.tif 000003
【図１Ｂ】
2020074510.tif 000004
【図２Ａ】
2020074510.tif 000005
【図２Ｂ】
2020074510.tif 000006
【図３】
2020074510.tif 000007
【図４】
2020074510.tif 000008
【図５】
2020074510.tif 000009
【図６】
2020074510.tif 000010
【図７】
2020074510.tif 000011
【図８】
2020074510.tif 000012
【図９】
2020074510.tif 000013
【図１０】
2020074510.tif 000014
【図１１】
2020074510.tif 000015
【図１２】
2020074510.tif 000016
【図１３】
2020074510.tif 000017
【図１４】
2020074510.tif 000018
【図１５】
2020074510.tif 000019
【図１６】
2020074510.tif 000020
【図１７】
2020074510.tif 000021
【図１８】
2020074510.tif 000022
【図１９】
2020074510.tif 000023
【図２０】
2020074510.tif 000024
【図２１】
2020074510.tif 000025
【図２２】
2020074510.tif 000026
【図２３】
2020074510.tif 000027
【図２４】
2020074510.tif 000028
【図２５】
2020074510.tif 000029